(57)【要約】      （修正有）【課題】従来のワイパーゴムよりも、付着物・雨水等を倍以上除去するワイパーゴムを提供する。【解決手段】ワイパーブレードにより係合保持されるワイパーゴム基部２と、上記ワイパーゴム基部２の反対側に相互に平行に一体結合され、車のガラス面に当接する２条のワイパーゴムエッジ部と、車のガラス面と２条のワイパーゴムエッジ部３ａ．３ｂで囲まれた空間Ｓとからなることを特徴とする両端又は片端が開口したワイパーゴム。【選択図】図1
0003109183.tif 000002
【実用新案登録請求の範囲】
【請求項１】
ワイパーブレードにより係合保持されるワイパーゴム基部２と、上記ワイパーゴム基部２の反対側に相互に平行に一体結合され、車のガラス面に当接する２条のワイパーゴムエッジ部と、車のガラス面と２条のワイパーゴムエッジ部で囲まれた空間とからなることを特徴とする両端又は片端が開口したワイパーゴム。
【請求項２】
ワイパーゴム基部の反対側に相互に平行に一体結合されるワイパーゴム基部と２条のワイパーゴムエッジ部の結合部がくびれていることを特徴とする請求項１記載の両端又は片端が開口したワイパーゴム。
【請求項３】
車のガラス面に当接する２条のワイパーゴムエッジ部の断面形状が楔状になっていることを特徴とする請求項１〜２記載の両端又は片端が開口したワイパーゴム。
【請求項４】
車のガラス面と２条のワイパーゴムエッジ部で囲まれた空間にウィンドウォッシャー液を送出させることを特徴とする請求項１〜３記載の両端又は片端が開口したワイパーゴム。
【請求項５】
請求項１〜４記載の両端又は片端が開口したワイパーゴムからなるワイパー装置。
【請求項６】
上記ワイパーゴム本体部と一体に、かつ上記ワイパーゴム基部と反対側に相互に平行に設けられ、車のガラス面に当接する３条のワイパーゴムエッジ部を有し、車のガラス面と３条のワイパーゴムエッジ部で囲まれた空間を有することを特徴とする両端又は片端が開口したワイパーゴム。
【考案の詳細な説明】
【技術分野】
【０００１】
この考案は、自動車等のガラス窓を拭払するために用いられるワイパー装置のワイパーゴムに関する考案である。特にワイパーゴムに複数(2条又は３条又はそれ以上)のワイパーゴムエッジ部を有するものに関する考案である。
【背景技術】
【０００２】
従来、自動車等の窓ガラスを拭払するための装置として、周知のワイパー装置が用いられている。そしてその拭き取り効果を高めるために、例えば、通常の自動車用ワイパーに慣用されるよう、1条のワイパーゴムの先端に１つの拭き取り刃（ワイパーゴムエッジ部）を形成したものがあった。
【０００３】
図３はこのようなワイパーゴムの構成を示す断面図である。図において、２０は従来のワイパーゴムであり、２２はワイパーブレード３０と係合するワイパーゴム基部、２３は該ワイパーゴム基部２２に一体接合して設けられ、その先端部がガラス面４に当接するワイパーゴムエッジ部23であり、１条のワイパーゴムエッジ部２３は上記ワイパーゴム基部２２の長手方向に沿って形成されている。
【０００４】
ただし、このようなワイパーゴム20を用いたとしても、ワイパーゴムエッジ１つ23だけでは拭き残しが生じる。
したがって、付着物・雨水等を確実に除去する性能を従来より更に向上させる必要があった。
【考案の開示】
【考案が解決しようとする課題】
【０００５】
従来のワイパーゴムは、以上のように構成されており、ワイパーゴムエッジ２３が１つだけでは拭き残しが生じる問題点が有り、
本考案の第一の目的は、さらに従来のワイパーゴムよりも、付着物・雨水等を倍以上除去するワイパーゴムを実現化させることである。
本考案の第二の目的は、さらに従来のワイパーゴムよりも、ワイパーゴムエッジが車のガラス面と弾力的に接触するワイパーゴムを実現化させることである。
本考案の第三の目的は、さらに従来のワイパーゴムよりも、ワイパーゴムエッジが車のガラス面との接触面が大きいワイパーゴムを実現化させることである。
本考案の第四の目的は、さらに従来のワイパーゴムよりも、少ないウィンドウォッシャー液を送出させることにより、車のガラス面を従来よりクリーンにすることが可能なワイパーゴムを実現化させることである。
車のガラス面と２条のワイパーゴムエッジ部で囲まれた空間にウィンドウォッシャー液を送出させることを特徴とする請求項１〜３記載の両端又は片端が開口したワイパーゴム。
＊＊＊＊＊＊＊＊＊＊＊＊＊＊＊＊＊＊＊＊＊＊＊＊＊＊＊＊＊＊＊＊＊＊
【課題を解決するための手段】
【０００６】
課題を解決するための手段は、実用新案登録請求の範囲の各請求項に記載の考案で有り、具体的には以下の考案である。
〔請求項１〕ワイパーブレードにより係合保持されるワイパーゴム基部と、上記ワイパーゴム基部の反対側に相互に平行に一体結合され、車のガラス面に当接する２条のワイパーゴムエッジ部と、車のガラス面と２条のワイパーゴムエッジ部で囲まれた空間とからなることを特徴とする両端又は片端が開口したワイパーゴム。
〔請求項２〕  ワイパーゴム基部の反対側に相互に平行に一体結合されるワイパーゴム基部と２条のワイパーゴムエッジ部の結合部がくびれていることを特徴とする請求項１記載の両端又は片端が開口したワイパーゴム。
〔請求項３〕  車のガラス面に当接する２条のワイパーゴムエッジ部の断面形状が楔状になっていることを特徴とする請求項１〜２記載の両端又は片端が開口したワイパーゴム。
〔請求項４〕  車のガラス面と２条のワイパーゴムエッジ部で囲まれた空間にウィンドウォッシャー液を送出させることを特徴とする請求項１〜３記載の両端又は片端が開口したワイパーゴム。
〔請求項５〕  請求項１〜４記載の両端又は片端が開口したワイパーゴムからなるワイパー装置。
〔請求項６〕上記ワイパーゴム本体部と一体に、かつ上記ワイパーゴム基部と反対側に相互に平行に設けられ、車のガラス面に当接する３条のワイパーゴムエッジ部を有し、車のガラス面と３条のワイパーゴムエッジ部で囲まれた空間を有することを特徴とする両端又は片端が開口したワイパーゴム。
本考案では、請求項１〜５記載発明の２条のワイパーエッジ部とあるのは、３条のワイパーエッジ部と言い換える必要がある。実用新案登録請求の範囲、明細書等において本考案を説明する箇所において、２条のワイパーエッジ部とあるのは、３条のワイパーエッジ部と読み替えるものとする。
＊＊＊＊＊＊＊＊＊＊＊＊＊＊＊＊＊＊＊＊＊＊＊＊＊＊＊＊＊＊＊＊
＜用語の説明＞
ここにおいて、本願の実用新案登録請求の範囲、明細書、図面の記載の用語の解釈上の疑義を解消すべく、以下の通り用語の説明を行なう。
○ワイパーとは、自動車・電車などのフロントガラス・リア窓ガラス・ヘッドライトなどに取り付けて雨滴をふき取る、ワイパーゴム付きの棒状の装置。
○両端又は片端が開口したワイパーゴムとは、車のガラス面と２条のワイパーゴムエッジ部で囲まれた空間の長手方向の両端又は片端が大気中に開口していることをいう。
【０００７】
ここに、車のガラス面と２条のワイパーゴムエッジ部で囲まれた空間は、長細い空間で略断面は一定である。
○ワイパーブレードとは、ガラス面と接していて、ガラスの水滴や汚れを落とすゴムとそれを支えるパッキンを合わせた部分のことをいう。
○ワイパーゴムとは、ワイパーの構成部分の中でゴム材料から構成される構成部分をいう。
○ワイパーゴムエッジ部とは、車のガラス面に当接するワイパーゴムの先端部をいう。
○ワイパーゴム基部とは、ワイパーエッジ部と一体接合されるワイパーゴムの構成部分をいう。
○ワイパー装置とは、ワイパーアーム，ワイパーブレード，ワイパーゴム等から装置である。
＊＊＊＊＊＊＊＊＊＊＊＊＊＊＊＊＊＊＊＊＊＊＊＊＊＊＊＊＊＊＊＊＊＊＊
○請求項１記載考案の特徴的構成要件について以下説明する。
【０００８】
請求項１記載考案の特徴的構成要件は、「上記ワイパーゴム基部の反対側に相互に平行に一体結合され、車のガラス面に当接する２条のワイパーゴムエッジ部」であり、かかる構成とすることにより、以下のような当業者が予知できない顕著な効果を発揮することができた。
【０００９】
（１）フロントガラスに付着した油（アスファルト舗装等に含まれる油）等、ワイパーゴムエッジ部を２条にした場合、２倍程度フロントガラスに付着した油等の除去が可能となった。
【００１０】
（２）夜間の降雨時、油等がフロントガラスに付着した場合、車のライトの反射等でまぶしい。ワイパーゴムエッジ部を２条にした場合、フロントガラスに付着した油等の除去が可能となり、車のライトの反射等でのまぶしさが軽減された。
（３）油等でなく、ゴミ、虫等が付着した場合においても、前述した効果と同じ効果を発揮した。
○請求項２記載考案の特徴的構成要件について以下説明する。
【００１１】
請求項２記載考案の特徴的構成要件は、「ワイパーゴム基部の反対側に相互に平行に一体結合されるワイパーゴム基部と２条のワイパーゴムエッジ部の結合部がくびれていること」である。
結合部がくびれていることにより、ワイパーゴム基部とワイパーゴムエッジ部との曲げ剛性が軟らかくなり、ワイパーゴム基部とワイパーゴムエッジ部とはより弾力的になり、ガラス面と確実に当接して水分の拭き残し等を防止することができた。
○請求項３記載考案の特徴的構成要件について以下説明する。
【００１２】
請求項３記載考案の特徴的構成要件は、「車のガラス面に当接する２条のワイパーゴムエッジ部の断面形状が楔状になっていること」である。
２条のワイパーゴムエッジ部の断面形状が楔状になっていることにより、ワイパーが往きの場合、楔状の片面がガラス面と接触し、還りの場合、楔状のもう片面がガラス面と接触する。これにより、さらに従来のワイパーゴムよりも、ワイパーゴムエッジが車のガラス面との接触面が大きいワイパーゴムを実現化させるという本考案の第三の目的が達成できた。
○請求項４記載考案の特徴的構成要件について以下説明する。
請求項４記載考案の特徴的構成要件は、「車のガラス面と２条のワイパーゴムエッジ部で囲まれた空間にウィンドウォッシャー液を送出させること」である。
従来のワイパーでは、ワイパーとは独立に、車のガラス面にウィンドウォッシャー液を送出させた後でワイパーを駆動させていた。ウィンドウォッシャー液を車のガラス面の前面に塗っていたので、ウィンドウォッシャー液が下方に滴り落ちることとなり、不必要な量のウィンドウォッシャー液が無駄に使われていた。
本考案では、車のガラス面と２条のワイパーゴムエッジ部で囲まれた空間にウィンドウォッシャー液を送出させることにより、上記空間内だけを充填するようにウィンドウォッシャー液を送出させればよいので、ウィンドウォッシャー液自体の無駄を大いに節約することが可能となった。
○請求項５記載考案の特徴的構成要件について以下説明する。
【００１３】
ワイパー装置は、ワイパーアーム，ワイパーブレード，ワイパーゴム等から装置であり、請求項５記載考案の特徴的構成要件を有する請求項１  〜３記載考案に特徴を有するので、  ワイパー装置も特徴的構成要件を有する。
○請求項６記載考案の特徴的構成要件について以下説明する。
【００１４】
請求項６記載考案の特徴的構成要件は、「上記ワイパーゴム基部と反対側に相互に平行に設けられ、車のガラス面に当接する３条のワイパーゴムエッジ部」であり、かかる構成とすることにより、以下のような当業者が予知できない顕著な効果を、請求項１記載考案よりも３／２倍程度発揮することができた。
【００１５】
何故ならば、請求項１記載考案ではシール面が２つであるのに対して、請求項６記載考案ではシール面が３つであるので、３／２倍程度となるからである。
【００１６】
（１）フロントガラスに付着した油（アスファルト舗装等に含まれる油）等、ワイパーゴムエッジ部を２条にした場合、２倍程度フロントガラスに付着した油等の除去が可能となった。
（２）夜間の降雨時、油等がフロントガラスに付着した場合、車のライトの反射等でまぶしい。ワイパーゴムエッジ部を２条にした場合、フロントガラスに付着した油等の除去が可能となり、車のライトの反射等でのまぶしさが軽減された。
（３）油等でなく、ゴミ、虫等が付着した場合においても、前述した効果と同じ効果を発揮した。
【考案の効果】
【００１７】
この考案においては、上述した考案が解決しようとする課題（目的）を全て達成することができた。
具体的には、以下のとおりである．  
○第一目的に対する効果
請求項１記載考案において、「上記ワイパーゴム基部の反対側に相互に平行に一体結合され、車のガラス面に当接する２条のワイパーゴムエッジ部」であり、かかる構成とすることにより、以下のような当業者が予知できない顕著な効果を発揮することができた。
（１）フロントガラスに付着した油（アスファルト舗装等に含まれる油）等、ワイパーゴムエッジ部を２条にした場合、２倍程度フロントガラスに付着した油等の除去が可能となった。
（２）夜間の降雨時、油等がフロントガラスに付着した場合、車のライトの反射等でまぶしい。ワイパーゴムエッジ部を２条にした場合、フロントガラスに付着した油等の除去が可能となり、車のライトの反射等でのまぶしさが軽減された。
（３）油等でなく、ゴミ、虫等が付着した場合においても、前述した効果と同じ効果を発揮した。
○第二目的に対する効果
請求項２記載考案において、「ワイパーゴム基部の反対側に相互に平行に一体結合されるワイパーゴム基部と２条のワイパーゴムエッジ部の結合部がくびれていること」により、ワイパーゴム基部とワイパーゴムエッジ部との曲げ剛性が軟らかくなり、ワイパーゴム基部とワイパーゴムエッジ部とはより弾力的になり、ガラス面と確実に当接して水分の拭き残し等を防止することができた。
○第三目的に対する効果
請求項３記載考案において、「車のガラス面に当接する２条のワイパーゴムエッジ部の断面形状が楔状になっていること」ことにより、ワイパーが往きの場合、楔状の片面がガラス面と接触し、還りの場合、楔状のもう片面がガラス面と接触する。これにより、さらに従来のワイパーゴムよりも、ワイパーゴムエッジが車のガラス面との接触面が大きいワイパーゴムを実現化させるという本考案の第三の目的が達成できた。
○第四目的に対する効果
請求項４記載考案において、「車のガラス面と２条のワイパーゴムエッジ部で囲まれた空間にウィンドウォッシャー液を送出させること」である。
従来のワイパーでは、ワイパーとは独立に、車のガラス面にウィンドウォッシャー液を送出させた後でワイパーを駆動させていた。ウィンドウォッシャー液を車のガラス面の前面に塗っていたので、ウィンドウォッシャー液が下方に滴り落ちることとなり、不必要な量のウィンドウォッシャー液が無駄に使われていた。
本考案では、車のガラス面と２条のワイパーゴムエッジ部で囲まれた空間にウィンドウォッシャー液を送出させることにより、上記空間内だけを充填するようにウィンドウォッシャー液を送出させればよいので、ウィンドウォッシャー液自体の無駄を大いに節約することが可能となった。
【考案を実施するための最良の形態】
【００１８】
考案を実施するための最良の形態について以下説明する。
【００１９】
各請求項記載の考案の特徴的構成要件において、上述した効果を発揮させることができた。
【実施例１】
【００２０】
以下、この考案における一実施例を図について説明する。図１において、１０はワイパーゴムを示し、１はワイパーゴム基部であり、ここでは従来のワイパーブレードの取付け部に係合可能な形状の一例を示す。３ａ，３ｂは上記ワイパーゴム基部２の反対側に、上記ワイパーゴム基部２の長手方向に沿ってそれぞれ平行になるように形成された２条のワイパーゴムエッジ部である。
また、ワイパーゴム基部２の反対側に相互に平行に一体結合されるワイパーゴム基部と２条のワイパーゴムエッジ部３ａ，３ｂ  の結合部がくびれていることを特徴とする請求項１記載の両端又は片端が開口したワイパーゴム１となるように構成されている。
そして、車のガラス面に当接する２条のワイパーゴムエッジ部３ａ，３ｂの断面形状が楔状になっていることを特徴とする請求項１〜２記載の両端又は片端が開口したワイパーゴム１となるように構成されている。
さらに、車のガラス面４と２条のワイパーゴムエッジ部３ａ，３ｂで囲まれた空間Ｓにウィンドウォッシャー液６を送出させることを特徴とする請求項１〜３記載の両端又は片端が開口したワイパーゴム１となるように構成されている。
【００２１】
次に作用効果について説明する。
図２（ａ）において、４は自動車のフロントウインドを示し、該フントウインド４の下側には、ワイパーアーム，ワイパーブレード，ワイパーゴム１等からなるワイパー装置５が取り付けられている。
図２（ｂ）は、フロントウィンド４に当接して摺動しているワイパーゴム１の近傍の様子を示し、ここでは紙面手前側がガラス窓４下方に位置するものとして説明する。
【００２２】
「上記ワイパーゴム基部2の反対側に相互に平行に一体結合され、車のガラス面4に当接する２条のワイパーゴムエッジ部3a、3b」であり、かかる特徴的構成要件とすることにより、以下のような当業者が予知できない顕著な効果を発揮することができた。
【００２３】
（１）フロントガラスに付着した油（アスファルト舗装等に含まれる油）等、ワイパーゴムエッジ部を２条にした場合、２倍程度フロントガラス4に付着した油等の除去が可能となった。
【００２４】
（２）夜間の降雨時、油等がフロントガラス4に付着した場合、車のライトの反射等でまぶしい。ワイパーゴムエッジ部を２条にした場合、フロントガラス4に付着した油等の除去が可能となり、車のライトの反射等でのまぶしさが軽減された。
（３）油等でなく、ゴミ、虫等が付着した場合においても、前述した効果と同じ効果を発揮した。
○「ワイパーゴム基部の反対側に相互に平行に一体結合されるワイパーゴム基部と２条のワイパーゴムエッジ部の結合部がくびれていること」(請求項２記載考案)により、ワイパーゴム基部1とワイパーゴムエッジ部3a、3bとの曲げ剛性が軟らかくなり、ワイパーゴム基部1とワイパーゴムエッジ部3a、3bとはより弾力的になり、ガラス面4と確実に当接して水分の拭き残し等を防止することができた。
○「車のガラス面4に当接する２条のワイパーゴムエッジ部の断面形状が楔状になっていること」(請求項３記載考案)により、ワイパーが往きの場合、楔状の片面がガラス面と接触し、還りの場合、楔状のもう片面がガラス面と接触する。これにより、さらに従来のワイパーゴムよりも、ワイパーゴムエッジが車のガラス面との接触面が大きいワイパーゴムを実現化させるという本考案の第三の目的が達成できた。
○「車のガラス面と２条のワイパーゴムエッジ部で囲まれた空間にウィンドウォッシャー液を送出させること」(請求項４記載考案)を採用することにより、以下のような顕著な効果を奏することができた。
従来のワイパーでは、ワイパーとは独立に、車のガラス面にウィンドウォッシャー液を送出させた後でワイパーを駆動させていた。ウィンドウォッシャー液を車のガラス面の前面に塗っていたので、ウィンドウォッシャー液が下方に滴り落ちることとなり、不必要な量のウィンドウォッシャー液が無駄に使われていた。
本考案では、車のガラス面と２条のワイパーゴムエッジ部で囲まれた空間にウィンドウォッシャー液を送出させることにより、上記空間内だけを充填するようにウィンドウォッシャー液を送出させればよいので、ウィンドウォッシャー液自体の無駄を大いに節約することが可能となった。
○「上記ワイパーゴム基部と反対側に相互に平行に設けられ、車のガラス面に当接する３条のワイパーゴムエッジ部」(請求項６記載考案)とすることにより、以下のような当業者が予知できない顕著な効果を、請求項１記載考案よりも３／２倍程度発揮することができた。
【００２５】
何故ならば、請求項１記載考案ではシール面が２つであるのに対して、請求項６記載考案ではシール面が３つであるので、３／２倍程度となるからである。
【００２６】
（１）フロントガラス4に付着した油（アスファルト舗装等に含まれる油）等、ワイパーゴムエッジ部を２条にした場合、２倍程度フロントガラス4に付着した油等の除去が可能となった。
【００２７】
（２）夜間の降雨時、油等がフロントガラスに付着した場合、車のライトの反射等でまぶしい。ワイパーゴムエッジ部を２条にした場合、フロントガラスに付着した油等の除去が可能となり、車のライトの反射等でのまぶしさが軽減された。
（３）  油等でなく、ゴミ、虫等が付着した場合においても、前述した効果と同じ効果を発揮した。
【図面の簡単な説明】
【００２８】
【図１】本考案の一実施例によるワイパーゴムの断面図である。
【図２】本考案の使用時の状態を説明するための図である。
【図３】従来技術の構成を説明するための図である。
【符号の説明】
【００２９】
１  ワイパーゴム
２  ワイパーゴム基部
３ａ，３ｂ  ワイパーゴムエッジ部
４  フロントウインド、車のガラス、車のガラス面
５  ワイパー装置
６  ウィンドウォッシャー液
Ｓ  空間
【図１】
0003109183.tif 000003
【図２】
0003109183.tif 000004
【図３】
0003109183.tif 000005
【手続補正書】
【提出日】平成17年1月25日(2005.1.25)
【手続補正１】
【補正対象書類名】実用新案登録請求の範囲
【補正対象項目名】請求項６
【補正方法】変更
【補正の内容】
【請求項６】
ワイパーゴム本体部と一体に、かつ上記ワイパーゴム基部と反対側に相互に平行に設けられ、車のガラス面に当接する３条のワイパーゴムエッジ部を有し、車のガラス面と３条のワイパーゴムエッジ部で囲まれた空間を有することを特徴とする請求項１〜５記載の両端又は片端が開口したワイパーゴム。
【手続補正２】
【補正対象書類名】明細書
【補正対象項目名】０００６
【補正方法】変更
【補正の内容】
【０００６】
課題を解決するための手段は、実用新案登録請求の範囲の各請求項に記載の考案で有り、具体的には以下の考案である。
〔請求項１〕  ワイパーブレードにより係合保持されるワイパーゴム基部と、上記ワイパーゴム基部の反対側に相互に平行に一体結合され、車のガラス面に当接する２条のワイパーゴムエッジ部と、車のガラス面と２条のワイパーゴムエッジ部で囲まれた空間とからなることを特徴とする両端又は片端が開口したワイパーゴム。
〔請求項２〕  ワイパーゴム基部の反対側に相互に平行に一体結合されるワイパーゴム基部と２条のワイパーゴムエッジ部の結合部がくびれていることを特徴とする請求項１記載の両端又は片端が開口したワイパーゴム。
〔請求項３〕  車のガラス面に当接する２条のワイパーゴムエッジ部の断面形状が楔状になっていることを特徴とする請求項１〜２記載の両端又は片端が開口したワイパーゴム。
〔請求項４〕  車のガラス面と２条のワイパーゴムエッジ部で囲まれた空間にウィンドウォッシャー液を送出させることを特徴とする請求項１〜３記載の両端又は片端が開口したワイパーゴム。
〔請求項５〕  請求項１〜４記載の両端又は片端が開口したワイパーゴムからなるワイパー装置。
〔請求項６〕  ワイパーゴム本体部と一体に、かつ上記ワイパーゴム基部と反対側に相互に平行に設けられ、車のガラス面に当接する３条のワイパーゴムエッジ部を有し、車のガラス面と３条のワイパーゴムエッジ部で囲まれた空間を有することを特徴とする請求項１〜５記載の両端又は片端が開口したワイパーゴム。
本考案では、請求項１〜５記載発明の２条のワイパーエッジ部とあるのは、３条のワイパーエッジ部と言い換える必要がある。実用新案登録請求の範囲、明細書等において本考案を説明する箇所において、２条のワイパーエッジ部とあるのは、３条のワイパーエッジ部と読み替えるものとする。
＊＊＊＊＊＊＊＊＊＊＊＊＊＊＊＊＊＊＊＊＊＊＊＊＊＊＊＊＊＊＊＊
＜用語の説明＞
ここにおいて、本願の実用新案登録請求の範囲、明細書、図面の記載の用語の解釈上の疑義を解消すべく、以下の通り用語の説明を行なう。
○ワイパーとは、自動車・電車などのフロントガラス・リア窓ガラス・ヘッドライトなどに取り付けて雨滴をふき取る、ワイパーゴム付きの棒状の装置。
○両端又は片端が開口したワイパーゴムとは、車のガラス面と２条のワイパーゴムエッジ部で囲まれた空間の長手方向の両端又は片端が大気中に開口していることをいう。